(57)【要約】      （修正有）【課題】安定した火力と、使用時間を保つことができる丸太状の薪を提供する。【解決手段】所定寸法の縦長円柱状に構成された木材本体１に、木材本体の上面Ａから切れ込み溝Ａ１、Ａ２が中心部を通過するように、下面Ｂに向かって縦の方向に切れ込み溝を適所のところまで設け、同じく木材本体の下面Ｂから、上面Ａからの切れ込み溝Ａ１、Ａ２と交差するように、下面Ｂから中心部分を通過するように上面Ａに向かって、縦の方向に切れ込み溝Ｂ１、Ｂ２をいれ、上面Ａからの切れ込み溝Ａ１、Ａ２より少し高い位置に達するよう構成する事により、上面Ａからの切れ込み溝Ａ１、Ａ２と、下面Ｂから切れ込み溝Ａ１、Ａ２の最下端部までの切れ込み溝Ｂ１、Ｂ２が、連通、交わることで中心部分に空気孔が設置されることで、安定した火力、使用時間が保てることが可能となる。【選択図】図１
0003213970.tif 000002
【実用新案登録請求の範囲】
【請求項１】
所定寸法の縦長円柱状に構成された木材本体１に、木材本体の上面Ａから切れ込み溝Ａ１、Ａ２が中心部を通過するように、下面Ｂに向かって縦の方向に切れ込み溝を適所のところまで設け、同じく下面Ｂから切込み溝Ａ１、Ａ２と交差するように上面Ａに向かって切れ込み溝Ｂ１、Ｂ２が縦の方向に設けられている、丸太状の薪。
【請求項２】
上記切れ込み溝Ａ１、Ａ２が縦の方向に上下方向中間部より下方の位置まで設けられ、上部からの切れ込み溝Ａ１、Ａ２の最下端部は、全体の３／４〜２／３位置し、下部からの切れ込み溝Ｂ１、Ｂ２は、上部切れ込み溝Ａ１、Ａ２上記最下端部を通過した適所のところまで設けた請求項に記載された丸太状の薪。
【考案の詳細な説明】
【技術分野】
【０００１】  本考案は、キャンプ、釣りなどアウトドアでのニーズにおける炊事、光源、暖房などの使用に最適な燃焼材としての丸太状の薪に関するものである。
【背景技術】
【０００２】  従来、キャンプ、釣りなどのアウトドアでのニーズにおける炊事、光源、暖房などの使用に最適な燃料材の状態は下記の通りであった。
スウェーデントーチは主に北欧で使用され、近年国内でも使用の確認できるが、生木丸太、建築端材と乾燥状態の違い、切れ込みの複雑化、空気孔の有無と様々で、統一された規格のものがなく、安定した火力、使用時間が保つことができなかった。
加えて、多くがパルプ、バイオマスチップなどに活用されているが、林地内にも多くの未利用材が残され、自然災害の脅威となっているため、未利用材の有効活用が期待されている。（特許文献１，２，３，４参照）
【先行技術文献】
【特許文献】
【０００３】
【特許文献１】実用新案登録  第３１３１５８３号公報
【特許文献２】実用新案登録  第３０３２８０７号公報
【特開文献３】
特開  ２０１５−８１３３２公報
【特開文献４】
特開  ２００２−３４８５３公報
【考案の概要】
【考案が解決しようとする課題】
【０００４】  上記の技術で述べたように、下記の問題点を有していた。
例えば、アウトドアでの炊事を行うとした場合、木材の上部に着火しても、空気孔の有無により、安定して燃焼せず、火力不足となり炊事がうまくできなくなる。
また、暖房の機能としても、火力が安定せず、熱源としての役目としての効果が発揮できない。
本考案は、従来の技術の欠点であった問題点に鑑み、上述の問題点を解決できるものを提供しようとするものである。
【課題を解決するための手段】
【０００５】  上記の目的を達成するために、本考案は下記のようになるものである。
本考案のものは、所定寸法の縦長円柱状に構成された木材本体１に、木材本体の上部Ａから切れ込み溝Ａ１，Ａ２が中心部分を通過するように、下部Ｂに向かって縦の方向に適所のところまで設ける。同じく下部Ｂからの切れ込み溝Ａ１、Ａ２と交差するように上部Ａに向かってＢ１、Ｂ２を縦の方向に適所のところまで設けられている。さらに、切れ込み溝Ａ１、Ａ２が縦の方向に上下方向中間部より下方の位置まで設けられ、上部からの切れ込み溝Ａ１、Ａ２の最下端部は、全体の３／４〜２／３に位置し、下部からの切れ込み溝Ｂ１、Ｂ２は、上部からの切れ込み溝Ａ１、Ａ２の最下端部を通過した適所のところまで設けた丸太状の薪。
【考案の効果】
【０００６】  所定寸法の縦長円柱状に構成された木材本体１に、木材本体の下部Ｂから上部Ａ１，Ａ２の切れ込み溝と交差するように、下面Ｂから中心部分を通過するように上面Ａに向かってＢ１，Ｂ２を縦の方向に切れ込み溝を入れ、上面Ａからの切れ込み溝Ａ１，Ａ２より少し高い位置に達するよう構成する事により、上部からの切れ込みと、下部から最下端部までの切れ込みが、連通、交わることで、中心部分に空気孔が設置されることによって、安定した火力、使用時間が保てることが可能となる。
また、従来木材本体の上下の切れ込み対比は、５対５であったが、上部とかの切れ込みが重なった部分が８等分され、燃焼が早まり崩れ落ちることから、長時間使用できなかった。その為、上下の切れ込み対比を３／４〜２／３にすることにより、長時間使用できる。【０００７】  本考案は、上記の通り構成されているので次に記載する効果が期待される。
１、従来のスウェーデントーチは、高さ、球形の太さ、切れ込みの複雑化と、規格が様々に処理されているだけだったが、本考案のものによって、課題を解決、使用範囲が広がるものである。
２、従来の切れ込みでは、空気孔の設置において例えば、のこ、ドリルなど複数の道具が必要で、緻密な作業が必要であったが、本考案はチェンソウのみで制作でき、切れ込み溝のみで簡単に空気孔の設置が可能となる。そのため着火しやすく燃焼が安定し、炊事、暖房、灯火などの安定した火力、使用時間が保てることが可能となる。
３、従来の切れ込みでは、下部まで切れ込み溝がなかったために、最後まで燃え尽きるのに至らなかったため、後かたつけが大変であったが、切れ込み方の考案により、最後まで燃え尽きる。
４、炊事、光源、暖房において、薪などを積み上げて燃焼させていたが、広い場所が必要であったが、丸太を縦に使用するため、小面積で火の取り扱いにも配慮できる。
５、森林整備の観点からも、多くの未利用材の活用として、地球温暖化防止に寄与するものであり最後は、灰となり自然にもどることとなる。
【図面の簡単な説明】
【０００８】
【図１】  丸太状の薪斜視図である。
【図２】  図ａの一部切り取りの横断面図、図ｂはＤの拡大図である。
【図３】  丸太状の薪一部を切り欠いた斜視図である。
【図４】  丸太状の薪正面図である。
【考案を実施するための形態】
【０００９】１は、本考案の燃焼材である。
所定の寸法の縦長円柱状に構成された木材本体である。木材本体上面Ａから中心部分を通過するように、下面Ｂに向かって切れ込み溝を縦の方向、十文字に切れ込み溝Ａ１、Ａ２を適所のところまで入れ、同じく下面Ｂの中心部分を通過するように、上面Ａに向かってＢ１、Ｂ２と交錯しないよう十文に切れ込み溝を、Ａ１、Ａ２切れ込み溝より少し高い位置に達するよう構成する。  これにより、上部からの切れ込み溝と、下部から最下端部までの切れ込み溝が、連通、交わることで、中心部分に空気孔が設置され、安定した火力、使用時間が保てることが可能となる。上部からの切れ込み最下端部は、全体の３／４〜３／２に位置している
【実施例】
【００１０】      実施例について図面を参照して説明する
１、木材本体は、森林から切り出された原木である丸太を所定寸法に切断して構成されている。
（１）  木材本体の形状は、縦長円柱状丸太である。
（２）  木材は、針葉樹、または広葉樹でもよい。
（３）  木材本体の寸法は、上面（直径）１８０ｍｍ、高さ４００ｍｍ円柱状である。（上記寸法の、高さ、直径は、以上以下でもよい）
（４）  木材本体の上面Ａを末口、下面Ｂを元口と呼ぶ。
（５）  切れ込み溝の幅は、７ｍｍ〜１５ｍｍである。
（６）  空気孔は、Ｄ′（直径）１５ｍｍ〜２０ｍｍである。
２、上面Ａから下面Ｂに向かって、十文字に中心部を通過するように切れ込み溝Ａ１、Ａ２を３００ｍｍのところまでいれる。
３、下面Ｂから上面Ａに向かって、十文字に中心部を通過するように切れ込み溝Ｂ１、Ｂ２をＡ１、Ａ２の切れ込み溝より、少し高い位置約１２０ｍｍまでいれる。
４、上面ＡからＢ面に向かって十文字に中心部を通過するＡ１、Ａ２の切れ込溝と、下面Ｂから上面Ａに向かって十文字に中心部を通過するＢ１、Ｂ２の切れ込み溝が、連通、交わることにより、空気孔Ｄが設置できる。
【産業上の利用可能性】
【００１１】アウトドア用としても持ち運びが容易で、自然エネルギーの活用ができ、しかも安全に取り扱いでき広く利用できる
【符号の説明】
【００１２】  Ａ    上面
Ｂ    下面
Ｃ    １図の切り取り面
Ｄ    空気孔
Ａ１，Ａ２    上面からの切れ込み溝
Ｂ１，Ｂ２    下面からの切れ込み溝
【図１】
0003213970.tif 000003
【図２】
0003213970.tif 000004
【図３】
0003213970.tif 000005
【図４】
0003213970.tif 000006